(57)【要約】【課題】樹脂以外の材料で軸筒外面を構成しても部品点数の増加を抑えることができる多芯筆記具を提供する。【解決手段】軸筒２が、樹脂からなる内軸４と、樹脂以外の材料からなる外軸３とを備える。内軸４が、各々の筆記体６が挿通される内孔４１ａを備え且つ各々の弾発体８の前端が当接される支持壁部４１と、支持壁部４１より後方に一体に延設される複数の延長壁部４２とからなる。延長壁部４２の相互間に前後方向に延びる内側窓孔４３を径方向に貫設する。延長壁部４２の内面に、ペン先突出時の筆記体６の操作体７が係止可能な係止壁部４５を一体に形成する。外軸３の側壁に前後方向に延びる複数の外側窓孔３２を径方向に貫設する。内軸４を外軸３の内部に収容配置する。各々の操作体７を内側窓孔４３及び外側窓孔３２を通して外部に突出させる。【選択図】  図１
2010094876.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に取り付けられた筆記体のペン先を軸筒の前端孔から突出させるとともに、先に突出状態にあった他の筆記体のペン先を軸筒内に没入させる多芯筆記具であって、
前記軸筒が、樹脂からなる内軸と、樹脂以外の材料からなる外軸とを備え、前記内軸が、前記各々の筆記体が挿通される内孔を備え且つ前記各々の弾発体の前端が当接される支持壁部と、前記支持壁部より後方に一体に延設される複数の延長壁部とからなり、前記延長壁部の相互間に前後方向に延びる内側窓孔を径方向に貫設し、前記延長壁部の内面に、ペン先突出時の筆記体の操作体が係止可能な係止壁部を一体に形成し、前記外軸の側壁に前後方向に延びる複数の外側窓孔を径方向に貫設し、前記内軸を前記外軸の内部に収容配置し、前記各々の内側窓孔と前記各々の外側窓孔とを径方向に連通させ、各々の操作体を前記内側窓孔及び前記外側窓孔を通して外部に突出させたことを特徴とする多芯筆記具。
【請求項２】
前記内側窓孔及び前記外側窓孔を後方に開口させる開閉自在の開口部を設け、前記開口部を開閉自在とする蓋部を設け、前記開口部を介して筆記体及び操作体を、軸筒内から取り外し可能且つ軸筒内に挿入可能に構成し、前記蓋部の前面に係合部を設け、前記内軸の後端に、前記蓋部の前面の係合部と係脱自在の被係合部を一体に形成した請求項１記載の多芯筆記具。
【請求項３】
前記外軸が金属、木、セラミック、陶磁器、ガラス、紙の何れかからなる請求項１または２記載の多芯筆記具。
【発明の詳細な説明】
【技術分野】
【０００１】
本発明は、多芯筆記具に関する。詳細には、軸筒内に複数の筆記体を収容し、前記各々の筆記体のペン先を軸筒の前端孔より選択的に出没させる多芯筆記具に関する。
【背景技術】
【０００２】
特許文献１には、樹脂製の押子（摺動部材）に擦傷が生じることを回避する目的で、樹脂製の押子が、金属軸に設けられた窓部から外周面に露出し、該窓部内を摺動する構成であって、金属軸の内周面から断面までの範囲に密着する一体的に形成された内部軸体を付設した構成が記載されている。
【０００３】
特許文献２には、軸筒の後端に、窓孔を後方に開口させる開閉自在の開口部を設け、前記開口部を介して筆記体及び操作体を、軸筒内から取り外し可能且つ軸筒内に挿入可能に構成したことが記載されている。
【特許文献１】特開２００８−６２５７８号公報
【特許文献２】特開２００７−３８６３５号公報
【発明の開示】
【発明が解決しようとする課題】
【０００４】
前記特許文献１の多芯筆記具は、押子を後方に付勢するバネを支持する部材が、内部軸体と別部品により構成される。そのため、部品点数が増加し、コストの上昇を避けられない。
【０００５】
前記特許文献２の多芯筆記具の構造において、軸筒を樹脂以外の材料（例えば金属）から構成した場合、蓋部の係合部と係脱自在の被係合部を、樹脂以外の材料からなる軸筒の後端に直接形成することは困難である。
【０００６】
本発明は、前記従来の問題点を解決するものであって、樹脂以外の材料で軸筒外面を構成しても部品点数の増加を抑えることができ、しかも、樹脂以外の材料で軸筒外面を構成しても蓋部の係合部と係脱自在の被係合部を軸筒の後端に適正に形成することができる多芯筆記具を提供しようとするものである。
尚、本発明において、「前」とはペン先側を指し、「後」とは反対側を指す。
【課題を解決するための手段】
【０００７】
［１］本願の第１の発明は、軸筒２内に複数の筆記体６を前後方向に移動可能に収容し、前記各々の筆記体６を弾発体８により後方に付勢し、前記各々の筆記体６の後端に操作体７を取り付け、前記軸筒２の側壁に前後方向に延びる複数の窓孔を径方向に貫設し、前記各々の窓孔から径方向外方に前記各々の操作体７を突出させ、一つの操作体７を窓孔に沿って前方にスライドさせることにより、その一つの操作体７に取り付けられた筆記体６のペン先６１を軸筒２の前端孔３１から突出させるとともに、先に突出状態にあった他の筆記体６のペン先６１を軸筒２内に没入させる多芯筆記具であって、前記軸筒２が、樹脂からなる内軸４と、樹脂以外の材料からなる外軸３とを備え、前記内軸４が、前記各々の筆記体６が挿通される内孔４１ａを備え且つ前記各々の弾発体８の前端が当接される支持壁部４１と、前記支持壁部４１より後方に一体に延設される複数の延長壁部４２とからなり、前記延長壁部４２の相互間に前後方向に延びる内側窓孔４３を径方向に貫設し、前記延長壁部４２の内面に、ペン先突出時の筆記体６の操作体７が係止可能な係止壁部４５を一体に形成し、前記外軸３の側壁に前後方向に延びる複数の外側窓孔３２を径方向に貫設し、前記内軸４を前記外軸３の内部に収容配置し、前記各々の内側窓孔４３と前記各々の外側窓孔３２とを径方向に連通させ、各々の操作体７を前記内側窓孔４３及び前記外側窓孔３２を通して外部に突出させたことを要件とする。
【０００８】
前記第１の発明の多芯筆記具１は、内軸４が、各々の筆記体６が挿通される内孔４１ａを備え且つ各々の弾発体８の前端が当接される支持壁部４１と、前記支持壁部４１より後方に一体に延設される複数の延長壁部４２とを備え、前記延長壁部４２の内面に、ペン先突出時の筆記体６の操作体７が係止可能な係止壁部４５を一体に形成したことにより、樹脂以外の材料（例えば金属）で軸筒２外面を構成しても部品点数の増加を抑えることができる。
【０００９】
［２］本願の第２の発明は、前記第１の発明の多芯筆記具１において、前記内側窓孔４３及び前記外側窓孔３２を後方に開口させる開閉自在の開口部３３・４４を設け、前記開口部３３・４４を開閉自在とする蓋部５を設け、前記開口部３３・４４を介して筆記体６及び操作体７を、軸筒２内から取り外し可能且つ軸筒２内に挿入可能に構成し、前記蓋部５の前面に係合部５１を設け、前記内軸４の後端に、前記蓋部５の前面の係合部５１と係脱自在の被係合部４６を一体に形成したことを要件とする。
【００１０】
前記第２の発明の多芯筆記具１は、樹脂からなる内軸４の後端に、蓋部５の前面の係合部５１と係脱自在の被係合部４６を一体に形成したことにより、樹脂以外の材料で軸筒２外面を構成しても、蓋部５の係合部５１と係脱自在の被係合部４６を軸筒２後端に容易に形成することができる。
【００１１】
［３］本願の第３の発明は、前記第１または第２の発明の多芯筆記具１において、前記外軸３が金属、木、セラミック、陶磁器、ガラス、紙の何れかからなることを要件とする。
【００１２】
前記第３の発明の多芯筆記具１は、外軸３が金属、木、セラミック、陶磁器、ガラス、紙の何れかからなることによって、樹脂では得られない軸筒２外面の外観及び感触を得る。
【００１３】
尚、本発明で、筆記体６７とは、例えば、ボールペン、マーキングペン、シャープペンシル等が挙げられる。尚、本発明で、外軸は、筆記体のペン先が突出可能な前端孔を備えた前軸と、側壁に外側窓孔を備える後軸とからなる構成でもよく、この場合、前記外側窓孔を備える後軸は、少なくとも樹脂以外の材料から構成すれば、前記前端孔を備えた前軸は、樹脂または樹脂以外の材料の何れの材料でもよい。また、本発明で、軸筒２内に収容する筆記体６の本数は、２本以上であればよく、具体的には、２本、３本、４本、５本、６本等が挙げられる。
【発明の効果】
【００１４】
本発明の多芯筆記具は、樹脂以外の材料（例えば金属）で軸筒外面を構成しても部品点数の増加を抑えることができる。
【発明を実施するための最良の形態】
【００１５】
図１乃至図７に本発明の実施の形態を示す。
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００１６】
（軸筒）
前記軸筒２は、外軸３と、該外軸３内部に収容配置される内軸４とからなる。
【００１７】
（外軸）
前記外軸３は、先細円筒状の前軸３ａと、該前軸３ａの後端に螺合により接続される円筒状の後軸３ｂとからなる。前記外軸３（前軸３ａ及び後軸３ｂ）は、金属（例えば、ステンレス鋼、アルミニウム、黄銅等）からなる。前記前軸３ａの前端部軸心には、各々の筆記体６のペン先６１が突出可能な前端孔３１が軸方向に貫設される。前記後軸３ｂの後端部側壁には、前後方向の延びる細長状の複数（具体的には２本）の外側窓孔３２が径方向に貫設される。前記各々の外側窓孔３２の後端には、後軸３ｂ後端より後方に切り欠き状に開口する開口部３３が形成される。前記後軸３ｂの外側窓孔３２の相互間の側壁外面の一つには、クリップ２１が設けられる。
【００１８】
（内軸）
前記内軸４は、合成樹脂（例えば、ポリプロピレン樹脂、ポリアセタール樹脂、ＡＢＳ樹脂等）からなる。前記内軸４は、前記各々の筆記体６が挿通される内孔４１ａを備え且つ前記各々の弾発体８の前端が当接される支持壁部４１と、前記支持壁部４１より後方に一体に延設される複数の延長壁部４２とを備える。前記延長壁部４２の相互間には、前後方向に延びる内側窓孔４３が径方向に貫設される。前記各々の内側窓孔４３の後端には、内軸４の後端より後方に切り欠き状に開口する開口部４４が形成される。
【００１９】
また、前記延長壁部４２の内面には、ペン先突出時の筆記体６の操作体７が係止可能な係止壁部４５が一体に形成される。前記係止壁部４５は、軸方向に延びるリブよりなる。前記係止壁部４５と後軸３ｂ内面との間に、操作体７の両側の係止突起が摺動可能なガイド溝２２が形成される。
【００２０】
前記内軸４が前記後軸３ｂの内壁に固着され、前記内軸４が後軸３ｂ内部に収容配置される。そして、前記各々の内側窓孔４３と前記各々の外側窓孔３２とが径方向に連通され、各々の操作体７が前記内側窓孔４３及び前記外側窓孔３２を通して外部に突出される。
【００２１】
また、各々の外側窓孔３２の後端の開口部３３と、各々の内側窓孔４３の後端の開口部４４とが径方向に連通される。それにより、前記開口部３３・４４を介して筆記体６及び操作体７を、軸筒２内から取り外し可能且つ軸筒２内に挿入可能に構成できる。
【００２２】
（蓋部）
前記軸筒２の後端（即ちクリップ２１の基部）には、前記開口部３３・４４を開閉自在にする蓋部５が設けられる。前記蓋部５は、ヒンジ部５３に回動自在に取り付けられる。前記蓋部５の前面には、当接壁部５２が形成される。前記当接壁部５２に、没入状態の筆記体６の後端に連結された各々の操作体７の後端が当接される。
【００２３】
前記蓋部５の前面には、係合部５１（具体的には係合孔）が設けられ、前記内軸４の後端には、前記係合部５１と係合可能な被係合部４６（具体的には係合突起）が設けられる。前記係合部５１と前記被係合部４６とは、蓋部５が開口部３３・４４を閉鎖した際、互いに係合状態にあり、弾発体８の後方への付勢による操作体７と蓋部５前面の当接壁部５２との当接では、その係合状態は解除されず、蓋部５が開くことはない。
【００２４】
（筆記体）
前記各々の筆記体６７は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００２５】
また、前記ボールペンチップは、前端に回転可能に抱持されたボールを弾発体等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。
【００２６】
（操作体）
前記各々の筆記体６の後端（即ちインキ収容管６２の後端開口部）には、操作体７が取り付けられる。前記各々の操作体７は、後端部に形成され且つ軸筒２の窓孔から外部に突出する操作部７１と、該操作部７１の径方向反対側の後端に設けられる第１の解除突起７２と、該操作部７１の径方向反対側の第１の解除突起７２の前方に設けられる第２の解除突起７３と、前端部に形成され且つインキ収容管６２の後端開口部に嵌入される嵌入部７４と、該嵌入部７４の後方に形成される鍔部７５とを備える。また、前記鍔部７５の前面には、弾発体８の後端が係止される。また、前記操作体７の両方の側面には係止突起が形成される。前記係止突起は外側窓孔３２の両側壁内面に係合可能である。前記操作体７は、合成樹脂（例えば、ポリプロピレン樹脂、ＡＢＳ樹脂、ポリアセタール樹脂等）の成形体により得られる。
【図面の簡単な説明】
【００２７】
【図１】本発明の実施の形態の縦断面図である。
【図２】図１の操作体を除いたＡ−Ａ線断面図である。
【図３】図１の開口部を開口させた状態の側面図である。
【図４】図１の内軸の正面図である。
【図５】（１）が図４のＢ−Ｂ線断面図、（２）が図４のＣ−Ｃ線断面図、（３）が図４のＤ−Ｄ線断面図である。
【図６】図１の内軸の側面図である。
【図７】図６のＥ−Ｅ線断面図である。
【符号の説明】
【００２８】
１  多芯筆記具
２  軸筒
２１  クリップ
２２  ガイド溝
３  外軸
３１  前端孔
３２  外側窓孔（窓孔）
３３  開口部
３ａ  前軸
３ｂ  後軸
４  内軸
４１  支持壁部
４１ａ  内孔
４２  延長壁部
４３  内側窓孔
４４  開口部
４５  係止壁部
４６  被係合部
５  蓋部
５１  係合部
５２  当接壁部
５３  ヒンジ部
６  筆記体
６１  ペン先
６２  インキ収容管
７  操作体
７１  操作部
７２  第１の解除突起
７３  第２の解除突起
７４  嵌入部
７５  鍔部
８  弾発体
【図１】
2010094876.tif 000003
【図２】
2010094876.tif 000004
【図３】
2010094876.tif 000005
【図４】
2010094876.tif 000006
【図５】
2010094876.tif 000007
【図６】
2010094876.tif 000008
【図７】
2010094876.tif 000009